(57)【要約】【課題】個人用ヘルスケア製品のパッケージングおよび販売促進のための装置および方法を提供する。【解決手段】本発明の第１の態様は、ヘルスケア製品を保管する装置を提供し、その装置は、複数の製品コンテナー１００Ａ，１００Ｂ，２００であって、各製品コンテナーは、本体と、供給部分と、付着特徴部１３０Ａと、を含む、複数の製品コンテナーと、複数の製品コンテナーの各々の付着特徴部と適合するように構成された嵌め合わせ特徴部９３０Ａを含む、ハウジング９００と、を具備し、製品コンテナーの付着特徴部とハウジングの嵌め合わせ特徴部との結合は、製品コンテナーをハウジングへ実質的にしっかりと非固定的に留める。【選択図】図８Ｂ
2009519865.tif 000002
【特許請求の範囲】
【請求項１】
ヘルスケア製品保管装置において、
複数の製品コンテナーであって、
前記製品コンテナーの各々は、
本体、
供給部分、および、
付着特徴部、
を含む、
複数の製品コンテナーと、
前記複数の製品コンテナーの各々の前記付着特徴部に適合するように構成された嵌め合わせ特徴部を含むハウジングと、
を具備し、
前記製品コンテナーの前記付着特徴部と前記ハウジングの前記嵌め合わせ特徴部との結合が、前記製品コンテナーを前記ハウジングに実質的にしっかりと非固定的に留める、装置。
【請求項２】
請求項１に記載の装置において、
前記複数の製品コンテナーの各々の寸法が、
少なくとも一つの別の製品コンテナーの寸法の倍数、および、
少なくとも一つの別の製品コンテナーの寸法の正にそのもの、
の少なくともいずれか、である、装置。
【請求項３】
請求項２に記載の装置において、
前記複数の製品コンテナーの各々の寸法が、
前記製品コンテナーの幅、および、
前記製品コンテナーの体積、
の少なくともいずれか、である、装置。
【請求項４】
請求項１に記載の装置において、
前記付着特徴部が、尾根部を含み、
前記嵌め合わせ特徴部が、前記尾根部を実質的に覆うように構成された溝形部を含む、装置。
【請求項５】
請求項１に記載の装置において、
前記複数の製品コンテナーの各々の前記本体が、錠剤、丸剤、カプセル、ゲル、液体、粉末、パッケージ、および、供給装置のうちの少なくとも一つを収容するように構成されている、装置。
【請求項６】
請求項１に記載の装置において、
前記複数の製品コンテナーの各々の前記供給部分が、前記複数の製品コンテナーの各々の前記本体内の空間から、錠剤、丸剤、カプセル、ゲル、液体、粉末、パッケージ、および、供給装置のうちの少なくとも一つを供給するように構成されている、装置。
【請求項７】
請求項１に記載の装置において、
前記装置が、
少なくとも一つのハウジングを収容するように構成されたケース、
をさらに具備する、装置。
【請求項８】
請求項７に記載の装置において、
前記ケースは、少なくとも一つのハウジングを前記ケースの内側面に非固定的に付着するための付着装置を含む、装置。
【請求項９】
請求項８に記載の装置において、
前記付着装置は、前記少なくとも一つのハウジング内の細長いスロット内に嵌め合わされるように構成された細長い部材を含む、装置。
【請求項１０】
請求項９に記載の装置において、
前記細長い部材の幅が、前記細長いスロットの幅よりも大きい、装置。
【請求項１１】
請求項１０に記載の装置において、
前記細長い部材の少なくとも一部が、柔軟である、装置。
【請求項１２】
請求項１に記載の装置において、
前記供給部分が、
キャップ部分であって、
ねじ山が設けられた雌型部材、および、
少なくとも一つの偏向可能な部材、
を含む、キャップ部分と、
ベース部分であって、
前記ねじ山が設けられた雌型部材にねじって嵌められ前記雌型部材からねじって外されるように構成された、ねじ山が設けられた雄型部材、および、
前記少なくとも一つの偏向可能な部材の少なくとも一部を受容するように構成された少なくとも一つの溝、
を含む、ベース部材と、
を具備し、
前記少なくとも一つの偏向可能な部材は、偏向されていない状態では、前記少なくとも一つの溝内に配置されていて、前記キャップ部分が前記ベース部分からねじって取り除かれるのを実質的に防止し、偏向された状態では、前記キャップ部分が前記ベース部分からねじって取り除かれるときに、前記少なくとも一つの溝から取り除かれ得るようになっている、装置。
【請求項１３】
ヘルスケア製品保管コンテナーにおいて、
前記コンテナーが、
本体、
供給部分、および、
付着特徴部、
を含み、
前記付着特徴部が、前記コンテナーを実質的にしっかりと留めるために、ハウジングの嵌め合わせ特徴部に適合するように構成されている、コンテナー。
【請求項１４】
請求項１３に記載のコンテナーにおいて、
前記付着特徴部が、前記本体および前記供給部分の少なくともいずれかに設けられた尾根部を含む、コンテナー。
【請求項１５】
請求項１３に記載のコンテナーにおいて、
前記本体が、
錠剤、丸剤、カプセル、ゲル、液体、粉末、パッケージ、および、供給装置
のうちの少なくとも一つを収容するように構成されている、コンテナー。
【請求項１６】
請求項１３に記載のコンテナーにおいて、
前記供給部分が、前記本体内の空間から、
錠剤、丸剤、カプセル、ゲル、液体、粉末、パッケージ、および、供給装置
のうちの少なくとも一つを供給するように構成されている、コンテナー。
【請求項１７】
請求項１３に記載のコンテナーにおいて、
前記供給部分が、
キャップ部分であって、
ねじ山が設けられた雌型部材、および、
少なくとも一つの偏向可能な部材、
を含む、キャップ部材と、
ベース部分であって、
前記ねじ山が設けられた雌型部材にねじって嵌められ前記雌型部材からねじって外されるように構成されたねじ山が設けられた雄型部材、および、
前記少なくとも一つの偏向可能な部材の少なくとも一部を受容するように構成された少なくとも一つの溝、
を含む、ベース部分と、
を具備し、
前記少なくとも一つの偏向可能な部材は、偏向されていない状態では、前記少なくとも一つの溝内に配置されていて、前記キャップ部分が前記ベース部分からねじって取り除かれるのを実質的に防止し、偏向された状態では、前記キャップ部分が前記ベース部分からねじって取り除かれるときに、前記少なくとも一つの溝から取り除かれ得るようになっている、コンテナー。
【請求項１８】
複数の製品コンテナーを実質的にしっかりと留めるためのハウジングにおいて、
ベース部分と、
複数の嵌め合わせ特徴部であって、前記嵌め合わせ特徴部の各々は、前記製品コンテナーの付着特徴部と適合するように構成されている、複数の嵌め合わせ特徴部と、
を具備する、ハウジング。
【請求項１９】
請求項１８に記載のハウジングにおいて、
前記嵌め合わせ特徴部は、前記付着特徴部の尾根部を実質的に覆うように構成された溝形部を含む、ハウジング。
【請求項２０】
請求項１８に記載のハウジングにおいて、
蓋部分、
をさらに具備する、ハウジング。
【請求項２１】
請求項２０に記載のハウジングにおいて、
前記ベース部分を前記蓋部分にしっかりと留める手段、
をさらに具備する、ハウジング。
【請求項２２】
請求項２１に記載のハウジングにおいて、
前記しっかりと留める手段が、摩擦嵌めシール、前記ベース部分および前記蓋部分に設けられた連結部材、ジッパー、スナップ、接着剤、ならびに、フックおよびループ、の少なくともいずれかを含む、ハウジング。
【請求項２３】
子供に対する抵抗性を有する供給機構において、
キャップ部分であって、
第１のねじ山が設けられた部材、および、
少なくとも一つの偏向可能な部材、
を含む、キャップ部分と、
ベース部分であって、
前記第１のねじ山が設けられた部材にねじって嵌め合わされ前記第１のねじ山が設けられた部材からねじって外されるように構成された、第２のねじ山が設けられた部材、および、
前記少なくとも一つの偏向可能な部材の少なくとも一部を受容するように構成された少なくとも一つの溝、
を含む、ベース部分と、
を具備し、
前記少なくとも一つの偏向可能な部材は、偏向されていない状態では、前記少なくとも一つの溝内に配置されて、前記キャップ部分が前記ベース部分からねじって外されるのを実質的に防止し、偏向された状態では、前記キャップ部分が前記ベース部分からねじって取り除かれるときに、前記少なくとも一つの溝から取り除かれ得るようになっている、供給機構。
【請求項２４】
請求項２３に記載の供給機構において、
前記ベース部分が、コンテナーにしっかりと留められるように構成されている、供給機構。
【請求項２５】
請求項２３に記載の供給機構において、
前記少なくとも一つの溝が、
前記少なくとも一つの偏向可能な部材の一部を受容するように構成されたスロット部分と、
前記少なくとも一つの偏向可能な部材の前記一部を実質的にしっかりと留めるように構成されたエッジ部分と、
を含む、供給機構。
【請求項２６】
請求項２３に記載の供給機構において、
前記キャップ部分が、２つの偏向可能な部材を含む、供給機構。
【請求項２７】
請求項２６に記載の供給機構において、
前記２つの偏向可能な部材が、前記キャップ部分の対向する両側に配置されている、供給機構。
【請求項２８】
請求項２３に記載の供給機構において、
前記供給機構を実質的にしっかりと留めるために、ハウジングの嵌め合わせ特徴部と適合するように構成された付着特徴部、
をさらに具備する、供給機構。
【請求項２９】
請求項２８に記載の供給機構において、
前記付着特徴部が、前記キャップ部分、および、前記ベース部分、の少なくともいずれかに配置されている、供給機構。
【請求項３０】
液体供給装置において、
液体収容部分と、
開口を含む中間部分と、
使用者が前記開口を通して前記液体収容部分内の液体を押すのを援助するように構成されたバルブ部材と、
前記中間部分にスライド可能に結合され、前記開口を交互に覆ったり見えるようにしたりするように構成された、カバー部分と
を具備し、
前記カバー部分は、前記カバー部分が前記開口を覆っているときに、前記液体が前記開口を通して供給されるのを実質的に防止する、装置。
【請求項３１】
請求項３０に記載の装置において、
前記バルブ部材が、前記液体収容部分の表面のくぼみ、前記液体収容部分の表面の隆起した領域、および、前記液体収容部分の表面の模様、のいずれかひとつを含む、装置。
【請求項３２】
請求項３０に記載の装置において、
前記液体収容部分が、目薬の溶液、および、塩水の溶液、の少なくともいずれかを収容するように構成されている、装置。
【請求項３３】
請求項３２に記載の装置において、
前記カバー部分が、使用者の鼻の表面で平衡するように構成されている、装置。
【請求項３４】
請求項３２に記載の装置において、
使用者が前記開口からの前記液体の供給を行うのを援助するように構成されたリング部材、
をさらに具備する、装置。
【請求項３５】
保管装置において、
柔軟な閉鎖装置と、
前記閉鎖装置を保持するための硬質フレームと、
前記保管装置をケースに実質的にしっかりと留めるための前記硬質フレームの表面に配置された付着特徴部と、
を具備する、装置。
【請求項３６】
請求項３５に記載の装置において、
前記閉鎖装置を閉じる手段、
をさらに具備する、装置。
【請求項３７】
請求項３６に記載の装置において、
前記閉じる手段が、ジッパー、スナップ、ボタン、接着剤、フックおよびループ、および、紐、の少なくともいずれかを含む、装置。
【請求項３８】
請求項３５に記載の装置において、
前記付着特徴部が、前記ハウジングの嵌め合わせ特徴部を受容するための細長いスロットを含み、
前記嵌め合わせ特徴部が、前記細長いスロット内に嵌め合わされるように構成された細長い部材を含む、装置。
【請求項３９】
請求項３５に記載の装置において、
前記柔軟な閉鎖装置が、布地、メッシュ、および、プラスチック、の少なくともいずれかを含む、装置。
【請求項４０】
請求項３５に記載の装置において、
前記付着特徴部が、前記ケースの表面に配置された細長い部材を受容するように構成された細長いスロットを含む、装置。
【請求項４１】
請求項４０に記載の装置において、
前記細長い部材の幅が、前記細長いスロットの幅よりも広い、装置。
【請求項４２】
個人用ヘルスケア製品の販売促進方法において、
販売業者の設立物の単一の領域に、複数の個人用ヘルスケア製品を提供すること、
を含み、
前記複数の個人用ヘルスケア製品の各々が、ハウジングにしっかりと留められるように構成された製品コンテナー内に包装されている、方法。
【請求項４３】
請求項４２に記載の方法において、
前記個人用ヘルスケア製品が、
局所的な傷の処置を意図する救急薬、うがい薬、歯鎮痛剤、歯肉鎮痛剤、デンタルフロス、歯ブラシ、息清涼化薬、息スプレー、うっ血除去薬、抗ヒスタミン薬、せき止め、および、アレルギー、感冒、せき、または、副鼻洞解放のための薬剤、を含む、上気道の状態の処置、防毒治療薬、アイケア溶液、制酸薬、胃腸処置、痒み止め薬、包帯、リップケア処置、ローション、乗り物酔い処置、下痢止め薬、鎮痛薬、アレルギー薬、医薬品、消毒剤、ワイパー、ティシュー、抗生剤軟膏、スプレー、局所鎮痛剤、加熱パッチ、毛髪再増殖組成物、抗炎症処置、ニコチン含有ガム、歯増白ガム、および、タバコ依存治療、
の少なくともいずれかを含む、方法。
【請求項４４】
請求項４２に記載の方法において、
前記ハウジングが、ケースにしっかりと留められるように構成されている、方法。
【請求項４５】
請求項４２に記載の方法において、
前記製品コンテナーが、
本体と、
供給部分と、
付着特徴部と、
を具備し、
前記付着特徴部が、前記コンテナーを実質的にしつかりと留めるために前記ハウジングの嵌め合わせ特徴部と適合するように構成されている、方法。
【請求項４６】
請求項４５に記載の方法において、
前記供給部分が、
キャップ部分であって、
ねじ山が設けられた雌型部材、および、
少なくとも一つの偏向可能な部材、
を含む、キャップ部分と、
ベース部分であって、
前記ねじ山が設けられた雌型部材にねじって嵌め合わされ前記雌型部材からねじって外されるように構成された、ねじ山が設けられた雄型部材、および、
前記少なくとも一つの偏向可能な部材の少なくとも一部を受容するように構成された、少なくとも一つの溝、
を含む、ベース部分と、
を具備し、
前記少なくとも一つの偏向可能な部材は、偏向されていない状態では、前記少なくとも一つの溝内に配置されて、前記キャップ部分が前記ベース部分からねじって外されるのを実質的に防止し、偏向された状態では、前記キャップ部分が前記ベース部分からねじって取り除かれるときに、前記少なくとも一つの溝から取り除かれ得るようになっている、方法。
【発明の詳細な説明】
【開示の内容】
【０００１】
〔関連出願に対するクロス−リファレンス〕
本出願は、２００５年４月６日に出願された同時係属中の米国仮特許出願第６０／６６８，８４１号の優先権を主張するものであり、上記の米国仮特許出願は、本明細書に組み込まれる。
【０００２】
〔技術分野〕
本発明は、概して個人用ヘルスケア製品に関し、より詳しく言うと、個人用ヘルスケア製品のパッケージング、販売促進、保管、および、供給、に関する。
【０００３】
〔背景技術〕
個人用ヘルスケア製品は、健康状態を処置および／または緩和することを意図した広範囲のさまざまな製品を包含する。個人用ヘルスケア製品は、典型的には、処置および／または緩和されるべき具体的な健康状態に置かれた個人によって施される。そのような製品は、ある健康状態に置かれた個人の親または介護者のような、非ヘルスケア専門家によって施されることもある。
【０００４】
個人用ヘルスケア製品には、局所的な傷の処置を意図する救急薬、うがい薬、歯および歯肉鎮痛剤、デンタルフロス、歯ブラシ、息清涼化薬（breath freshener）、息スプレー、うっ血除去薬、抗ヒスタミン薬、せき止め、および、アレルギー、感冒、せき、または、副鼻洞解放(sinus relief)のための薬剤、を含む、上気道の状態の処置、防毒治療薬（anti-gas remedies）、アイケア溶液、制酸薬、胃腸処置、痒み止め薬、包帯、リップケア処置、ローション、乗り物酔い処置、下痢止め薬、鎮痛薬、アレルギー薬、医薬品、消毒剤、ワイパー、ティシュー、抗生剤軟膏、スプレー、局所鎮痛剤、加熱パッチ、毛髪再増殖組成物、抗炎症処置、ガム（例えば、ニコチン含有、歯増白、など）、タバコ依存治療、など、が含まれる。
【０００５】
現在の消費者のヘルスケア製品のパッケージング、保管、商品化計画、供給、および、使用のシステムおよび方法は、携帯式または可搬式ヘルスケアのためのより大きな必要性があることを認識した利用者には十分に適したものではない。例えば、食品または薬品のアウトレット店で用いられているもののような、典型的な商品販売促進システムは、種類または症状に基づいて個人用ヘルスケア製品を分類している。例えば、痛み処置のためのさまざまなブランドの製品が、一つの棚またはひとつの区画に一体でグループ分けされ、一方、上気道の病気の処置のためのさまざまなブランドの製品は、別の棚または別の区画に、別に、一体でグループ分けされている。
【０００６】
そのような商品販売促進システムは、携帯式または可搬式ヘルスケアにより大きな必要性があることを認識した顧客には、理想的なものではない。個人用ヘルスケアアイテムに関して買い物に行き選択をするための時間が限られた顧客は、自分が望むまたは必要とする製品を見出すおよび／または得るために、販売業者の棚、区画、または、通路のすべてのすみからすみまでを行くことをいらだたしく思うかもしれない。旅行したりさもなければ家を不在にしたりすることが多い、時間が限られた顧客は、もしくは、自分の個人用ヘルスケアの必要性をあらかじめ計画しない顧客は、中心の、局所的な、および／または、画定された、領域に提供された、選択されたまたは中核の個人用ヘルスケアアイテムを有することが重宝なことを見出すかもしれない。
【０００７】
他のものは、旅行時に使用するための個人用ヘルスケア製品を収容するためおよび／または供給するための装置を提供することを試みてきた。例えば、デーンシュバー（Daneshvar）に付与された米国特許第５，３５１，８１８号は、用法用量を貼り付けるのを手助けするための別個の区画に薬剤を収容するための箱を記載している。しかし、デーンシュバーの装置は、多数の課題を欠点として持つ。第１に、その装置はかなり大きく、旅行時に使用するのを実行不可能にしている。第２に、その装置はごくわずかな限定された形態の個人用ヘルスケア製品を収容可能である。より詳しく言うと、デーンシュバーの装置は、丸剤または錠剤のような、固体の製品のみを収容することができる。第３に、デーンシュバーの装置に収容された個人用ヘルスケア製品は、依然として、典型的なパッケージングが施された状態で購入され、次に、デーンシュバーの装置に移されなければならない。
【０００８】
マーフィー（Murphy）に付与された米国特許出願公開第２００５／０２１８０３１号は、連結保管ユニットを記載していて、このユニットでは、個々のユニットが、連結されたユニットのより大きな集合から切り離されて、例えば、旅行などに用いられる。しかし、上記のデーンシュバーの装置でのように、マーフィーの装置は、液体、ゲル、および、粉末、のような、多くの携帯の個人用ヘルスケア製品を収容することができない。マーフィーの装置も、典型的なパッケージングで個人用ヘルスケア製品を購入し、次に、そられの製品を装置に移すことを必要とする。
【０００９】
この限りでは、既知のシステムおよび方法の課題を欠点として持たない、個人用ヘルスケア製品のパッケージング、商品販売促進、保管、および／または、供給システムならびに方法が必要とされている。
【００１０】
〔発明の概要〕
本発明は、個人用ヘルスケア製品のパッケージングおよび商品販売促進装置ならびに方法を提供する。
【００１１】
本発明の第１の態様は、ヘルスケア製品の保管装置を提供し、その装置は、複数の製品コンテナーであって、各製品コンテナーは、本体と、供給部分と、付着特徴部と、を含む、複数の製品コンテナーと、複数の製品コンテナーの各々の付着特徴部に適合するように構成された嵌め合い特徴部を備えたハウジングと、を具備し、製品コンテナーの付着特徴部とハウジングの嵌め合い特徴部との結合が、製品コンテナーをハウジングに実質的にしっかりと非固定的（non-fixedly）に留める。
【００１２】
本発明の第２の態様は、ヘルスケア製品の保管コンテナーを提供し、そのコンテナーは、本体と、供給部分と、付着特徴部と、を具備し、付着特徴部は、コンテナーを実質的にしっかりと留めるために、ハウジングの嵌め合い特徴部に適合するように構成されている。
【００１３】
本発明の第３の態様は、複数の製品コンテナーを実質的にしっかりと留めるハウジングを提供し、そのハウジングは、基部と、複数の嵌め合い特徴部であって、嵌め合い特徴部の各々は、製品コンテナーの付着特徴部と適合するように構成されている。
【００１４】
本発明の第４の態様は、子供に対する抵抗性のある供給機構を提供し、その供給機構は、ねじ山が設けられた雌型部材と、少なくとも一つの偏向可能な部材と、を含む、キャップ部分と、ねじ山が設けられた雌型部材にねじって嵌められおよび雌型部材からねじって外されるように構成された、ねじ山が設けられた雄型部材と、少なくとも一つの偏向可能な部材の少なくとも一部を受容するように構成された少なくとも一つの溝と、を含む、ベース部分と、を具備し、少なくとも一つの偏向可能な部材は、偏向されていない状態で、少なくとも一つの溝内に配置されていて、キャップ部分がベース部分からねじって外されるのを実質的に防止し、偏向された状態で、キャップ部分がベース部分からねじって外されたときに、少なくとも一つの溝から取り除かれ得るようになっている。
【００１５】
本発明の第５の態様は、液体供給装置を提供し、その液体供給装置は、液体収容部分と、開口を含む中間部分と、使用者が開口から液体収容部分内の液体を押し出すのを援助するように構成されたバルブ部材と、中間部分に摺動可能に結合され、開口を交互に覆ったり見えるようにしたりするように構成された、カバー部分と、を具備し、カバー部分は、カバー部分が開口を覆っているときに、液体が開口を通して供給されるのを実質的に防止する。
【００１６】
本発明の第６の態様は、保管装置を提供し、その保管装置は、柔軟な閉鎖装置と、閉鎖装置を保持するための硬質フレームと、保管装置をケースに実質的にしっかりと留めるためのフレームに配置された付着特徴部と、を具備する。
【００１７】
本発明の第７の態様は、個人用ヘルスケア製品の商品販売促進方法を提供し、その方法は、販売業者の設立物の単一の領域に、複数の個人用ヘルスケア製品を提供する過程を、含み、複数の個人用ヘルスケア製品の各々は、ハウジングにしっかりと留められるように構成された製品コンテナー内に包装されている。
【００１８】
本発明の例示的な態様は、本明細書に記載された課題、および、当業者が見出すことができる議論されていないその他の課題、を解決するように、設計されている。
【００１９】
本発明のこれらのおよびその他の特徴は、本発明のさまざまな実施の形態を図示した添付の図面と共に参照される本発明のさまざまな態様の以下の詳細な記載からより容易に理解されるはずである。
【００２０】
本発明の図面は一定の縮尺で描かれていないことが注意される。図面は、本発明の典型的な態様のみを図示することが意図されていて、したがって、本発明の範囲を限定するものとみなされてはならない。図面中では、類似の符号付けが、図面間の類似の要素を表している。
【００２１】
〔発明の詳細な説明〕
上述したように、本発明は、個人用ヘルスケア製品のパッケージング、商品販売促進、保管、および、供給システムならびに方法を提供する。
【００２２】
図１Ａから図１Ｃは、本発明に基づく製品コンテナー１００のある例示的な実施の形態の正面図および側面図を示す。図１Ａでは、製品コンテナー１００は、本体１１０と、供給部分１２０と、付着特徴部１３０と、を含んでいる。本体１１０は、収容されるべき個人用ヘルスケア製品に応じて、任意の数の材料である場合がある。例えば、本体１１０は、製品コンテナー１００が、供給するのに本体１１０を操縦することをほとんどもしくはまったく必要としない、丸剤、錠剤、カプセル、粉末、または、その他のヘルスケア製品を収容するべき場合には、硬質材料である場合がある。それに代わって、本体１１０は、製品コンテナー１１０が、そのヘルスケア製品を供給するのに本体１１０を操作する（例えば、搾る）ことが必要な場合がある、液体、ゲル、または、その他のヘルスケア製品を収容するべき場合には、柔軟な材料で構成されている場合がある。
【００２３】
図示されているように、供給部分１２０は、本体１１０から個人用ヘルスケア製品を供給するための開口１２４（図１Ｃ）を密閉するための蓋１２２（図１Ｂ）を含んでいる。蓋１２２以外の装置が、当業者には認識されるであろうように同様に用いられる場合がある。例えば、例示的な装置には、スライド機構、プッシュボタン機構、シェーカー機構、スクリューキャップ、など、が含まれる。
【００２４】
付着特徴部１３０は、供給部分１２０の外側面の尾根部または突出部として図示されている。以下により詳しく記載されるように、付着特徴部１３０は、製品コンテナー１００をハウジング（図示されていない。）の嵌め合わせ特徴部にしっかりと留めること（securing）を可能にしている。したがって、任意の数の他の付着特徴部を用いてもよい。例示的な付着特徴部には、例えば、スナップ、止め金、磁石、フックおよびループ、さねはぎ、接着剤、など、が含まれる。供給部分１２０の外側面に配置されて図示されているが、付着特徴部１３０は、本体１１０の外側面のような、製品コンテナー１００の表面のいたるところに配置されている場合がある。
【００２５】
最後に、ほぼ立方体形の形状を有するものとして図示されているが、製品コンテナー１００は、当業者によって認識されるであろうように、任意の数の形状を有している場合がある。しかし、そのような形状のいずれもが、使用者のポケットの中でのような、製品コンテナーの容易な運搬を妨げるものであってはならない。
【００２６】
こんどは、図２、図３Ａ、および、図３Ｂを参照すると、本発明に基づく製品コンテナーの代わりの実施の形態が、示されている。図２では、製品コンテナー２００は、図１Ａから図１Ｃの製品コンテナー１００よりも幅が広い。好ましくは、本発明に基づく製品コンテナーの代わりの実施の形態の各々は、それら代わりの実施の形態のもう一つの実施の形態の倍数の寸法、それら代わりの実施の形態のもう一つの実施の形態のまさにそのものの寸法、または、それらの両方の寸法である。例えば、図２の製品コンテナー２００は、図１Ａから図１Ｃの製品コンテナー１００のほぼ２倍の幅である。それに対応して、図１Ａから図１Ｃの製品コンテナー１００は、図２の製品コンテナー２００のほぼ半分の幅を有する。それに代わって、本発明に基づく製品コンテナーの代わりの実施の形態は、実質的に同じ寸法である場合がある。以下により詳しく記載するように、これらの配置のいずれもが、本発明に基づく製品コンテナーの任意の数の代わりの実施の形態がこのような製品コンテナーをしっかりと留めるためのハウジングと組み合わせて用いられるようにしている。
【００２７】
図１Ａから図１Ｃの代わりの実施の形態の場合のように、図２の製品コンテナー２００は、本体２１０と、供給部分２２０と、付着特徴部２３０Ａと、を含んでいる。製品コンテナー２００が代わりの実施の形態の倍数の寸法である場合、追加の付着特徴部２３０Ｂ（破線で示されている。）が必要に応じて含まれていてよく、付着特徴部２３０Ａ，２３０Ｂの各々はあたかも正にそのものの寸法（integer sized）の代わりの実施の形態に配置されているかのように互いに間隔を置いて配置されているようになっている。例えば、付着特徴部２３０Ａ，２３０Ｂは、各製品コンテナー１００が互いに隣り合って位置決めされた状態で、各付着特徴部が、あたかも図１Ａから図１Ｃの一対の製品コンテナー１００の一つに配置されているかのように、互いに間隔を置いて配置されている。
【００２８】
図３Ａおよび図３Ｂは、各々、本発明に基づく製品コンテナー３００のさらに別の実施の形態の正面図および側面図である。製品コンテナー３００の本体３１０は、柔軟な材料で構成されていて、本体３１０が本体の中身を取り除くために搾られるか、またはその他の方法で操作されるようになっている。図示されているように、本体３１０は、先細りの端部部分３１４，３１６と、拡張した中心部分３１２と、を含んでいるが、その他の配置も同様に用いることができる。
【００２９】
本体３１０が柔軟な材料で構成され、供給部分３２０が硬質材料で構成されている場合、本体３１０と供給部分３２０との間にカラー３４０を含むことが望ましい場合がある。したがって、供給部分３２０を本体３１０に直接に付着するのではなく、本体３１０は、カラー３４０に固定して付着（例えば、接着、熱融着、など）されている場合がある。この場合、供給部分３２０は、カラー３２０に固定してまたは非固定的に、付着されている場合がある。このような配置は、供給部分３２０を付着する前に、ゲルまたはローションのような、個人用ヘルスケア製品で本体３１０を満たすのに有用である場合がある。
【００３０】
図３Ａに示されているように、本体３１０は、供給部分３２０よりも幅が広い場合がある。このような配置は、例えば、本体３１０が比較的小型の供給機構のみを必要とする個人用ヘルスケア製品を比較的大量に収容する場合に、望ましい場合がある。
【００３１】
図４Ａから図４Ｃは、液体またはローションのような個人用ヘルスケア製品の一回分の適用量を保管および供給するための供給装置４００を示している。図４Ａおよび図４Ｂに示されているように、各供給装置４００は、一つ以上の「ポッド」４０２，４０４，４０６，４０８，４１０，４１２を含んでいる。好ましくは、複数のポッドが設けられていて、図４Ａに示されているように、各ポッドが結合されている。各ポッドは、リザーバ４２４を含み、リザーバ４２４の周縁部は、リング４２２によって囲まれている。個人用ヘルスケア製品をリザーバ４２４から容易に取り出すことができるようにするために、リング４２２およびリザーバ４２４は、切り取り点線４２６を含んでいる。当業者には認識されるであろうように、切り取り点線４２６は、使用者がリング４２２に沿ってリザーバ４２４を破りリザーバ４２２を開くことができるようにしている。一旦開けられると、リザーバ４２４の中身は、例えば、リザーバ４２４を搾ることによって、取り出される場合がある。
【００３２】
供給装置４００は、複数の他の切り取り点線４２８Ａ，４２８Ｂ，４２８Ｃを含んでいる。水平の切り取り点線４２８Ａ，４２８Ｂは、使用者が、例えば、一対のポッドが空になった後に、その一対のポッドを取り除くことができるようにしている。それに加えて、垂直の切り取り点線４２８Ｃは、使用者が、個々のポッドを、水平の切り取り点線４２８Ａ，４２８Ｂと共に用いて、取り除くことができるようにしている。
【００３３】
図４Ｃに示されているように、供給装置４００は、垂直の切り取り点線４２８Ｃに沿って供給装置４００を折り返すことによって、図１Ａから図１Ｃの製品コンテナーのような、製品コンテナー１００に保管される場合がある。以下に記載されるように、供給装置４００をそのように保管することは、一つ以上のコンテナーをしっかりと留めるように構成されたハウジング内に、供給装置４００を保管し、ハウジングに入れて運搬することができるようにする。
【００３４】
図５Ａから図５Ｅは、本発明に基づく液体供給装置の別の実施の形態のさまざまな図を示している。図５Ａおよび図５Ｂでは、液体供給装置５００の第１の実施の形態は、液体を保管するための柔軟な本体５１０と、開口５３２を含む中間部分５３０と、本体５１０内の液体を開口５３２から押し出すのを援助するためのバルブ５１２と、キャップ５２０と、を含むものとして、図示されている。バルブ５１２は、本体５１０の表面中のくぼみとして示されていて、くぼみは、液体を供給するときに使用者が適正に自分の親指以外の指または親指を位置付けるのを援助する。バルブ５１２は、本体５１０の表面の隆起部分を同様に含む場合があり、または、本体５１０の表面上の模様を単に含む場合がある。上述したように、本体５１０内の液体を開口５３２から押し出すために本体５１０が搾られるか、またはその他の方法で操作されてもよいように、本体５１０は十分に柔軟である。
【００３５】
図５Ａから図５Ｂに示されているように、キャップ５２０は、供給装置５００の他の部分から取り外される。好ましくは、キャップ５２０は、境界接続部を介して、本体５１０、および／または、中間部分５３０、に非固定的に付着されている場合があるが、当業者に認識されるであろうように、他の機構も可能である。キャップ５２０の取り外しを援助するために、外側面は、使用者がキャップ５２０をつかむのを援助するための尾根部５２２または類似の構造を含んでいる場合がある。所定の位置に配置されると、キャップ５２０は、好ましくは、液体が開口５３２を通して供給されるのを実質的に防止する。例えば、キャップ５２０を本体５１０および／または中間部材５３０に接合する機構は、好ましくは、キャップ５２０が所定の位置に配置されたときに、バルブ５１２をどのように搾っても、液体が本体５１０から供給されるのを防止するのに十分な圧力がキャップ５２０内に形成されるよう、十分に気密である。キャップ５２０が所定の位置に配置されたときに開口５３２に嵌め合わされるように構成されたキャップ５２０の内側面上のプラグ（図示されていない。）のような、液体の供給を防止するその他の機構も可能である。
【００３６】
供給装置５００は、比較的低い粘度の任意の個人用ヘルスケア製品を保管および供給するために用いられる場合があり、その個人用ヘルスケア製品は、実質的に、滴または流体の形態で供給される。目薬または塩水溶液は、供給機構５００内での保管、および、供給機構による供給、に特に適している。
【００３７】
こんどは、図５Ｃを参照すると、代わりの液体供給装置５０２が、図示されている。図５および図５Ｂの実施の形態とは異なり、供給装置５０２は、固定して付着され移動可能なキャップ５５０、を含んでいる。すなわち、完全に取り外し可能になっているのではなく、キャップ５５０は、中間部材５６０および開口５６２を露出させるために、本体５４０から離れるようにスライド式に動かされる場合がある。いったん露出されると、本体５４０内の液体は、バルブ５４２を搾ることによって開口５６２を通して押される場合がある。供給装置５０２は、目薬および塩水溶液の供給に特によく適している。いったん、キャップ５５０が中間部材５６０および開口５６２を露出するようにスライド式に動かされると、キャップ５５０は、目薬または塩水溶液が使用者の目の中に供給されるときに、使用者の鼻梁に乗って平衡または静止させられる場合がある。そのような配置は、使用者が装置をそのように平衡または静止させることができるようにしていない公知の供給装置と比較して、供給の正確さを目覚しく改善する。中間部材５６０は、開口５６２の周囲のリング５６４をさらに含む場合があり、リング５６４は、使用者が自分の目の上方に開口５６２を定めるのを援助するのに有益である。
【００３８】
図５Ｄおよび図５Ｅは、本発明に基づく液体供給装置５０４のさらに別の代わりの実施の形態を示している。供給装置５０４は、リザーバ／バルブ５７０およびハンドル５８０を含む細長い管に類似した形状を有する。図５Ｄでは、供給装置５０４は、閉じた位置で示されていて、この場合にはハンドル５８０およびリザーバ／バルブ５７０は、境を接している。図５Ｅでは、供給装置５０４は、開いた位置で図示されていて、この場合にはハンドル５８０は、中間部材５９０を露出するように、リザーバ／バルブ５７０から遠ざかるように伸ばされている。図５Ａから図５Ｃの実施の形態でのように、中間部材５９０は、開口５９２を含んでいる。ハンドル５８０が中間部材５９０の上方をスライドできるようにするために、開口５９２は、中間部材５９０内のくぼみ５９４内に配置されている。その開いた位置では、使用者は、リザーバ／バルブ５７０を搾ることによって、リザーバ／バルブ５７０の中身を開口５９２を通して供給する場合がある。
【００３９】
図４Ｃで上述されたように、図５Ａから図５Ｅの一つ以上の供給装置５００，５０２，５０４は、図１Ａから図１Ｃの製品コンテナーのような、製品コンテナー１００内に保管されている場合がある。そのように供給装置５００，５０２，５０４を保管することは、以下により詳しく記載されるように、一つ以上の製品コンテナーをしっかりと留めるように構成されたハウジング内に製品コンテナーを保管し、製品コンテナーをハウジングに入れた状態で運搬することができるようにする。
【００４０】
図６Ａから図６Ｃは、流体または霧の形態で個人用ヘルスケア製品を保管および供給するための液体供給装置６００を示している。供給装置６００は、ポート６２２を含む本体６１０と、それを通して使用者が親指以外の指または親指を配置する開口６２０と、プランジャ６４０と、開口６２４と、を含んでいる。供給装置６００の供給の詳しい機構は、２００５年６月２日に出願された米国特許出願公開第２００６００３２８６７号に記載されていて、この出願公開は、引用することによって本明細書に組み込まれる。簡単に言うと、図６Ａは、その非作動状態にある供給装置６００を示している。プランジャ６４０は、その上昇位置にあり、開口６２４（破線で示しされている。）はポート６２２の上方に配置されている。そのような状態では、液体は装置６００から供給されない。図６Ｂでは、供給装置６００は、その作動状態で示されている。プランジャ６４０は、その押し下げられた状態で図示されていて、開口６２４はポート６２２内の位置へ下げられていて、本体６１０内の液体が開口６２４を通って供給されるようにしている。図６Ｃは、その非作動状態にある供給装置６００の斜視図である。
【００４１】
米国特許出願公開第２００６００３２８６７号に記載された装置とは異なり、供給装置６００は、製品コンテナー１００（図１Ａから図１Ｃ）の付着特徴部と類似の付着特徴部６３０を含んでいる。そうなので、以下により詳しく記載されるように、供給装置６００は、一つ以上の製品コンテナーまたは供給装置をしっかりと留めるように構成されたハウジング内に保管されハウジングに入れた状態で運搬される場合がある。
【００４２】
こんどは、図７Ａから図７Ｃを参照すると、本発明に基づく、子供に対する抵抗性のある供給機構８００が示されている。以下に記載されるように、そのような子供に対する抵抗性のある供給機構は、例えば、ヘルスケア製品の毒性に起因して、そのヘルスケア製品へのアクセスが制限されなければならない場合に、製品コンテナー（例えば、図１Ａから図１Ｃの製品コンテナー１００）内に含まれる場合がある。
【００４３】
図７Ａから図７Ｄでは、子供に対する抵抗性のある供給機構８００が示されていて、供給機構８００は、キャップ部材８２０と、ベース部材８４０と、を含んでいる。図７Ａおよび図７Ｂでは、供給機構８００は、図３Ａおよび図３Ｂの本体（例えば、柔軟な本体）のような、製品コンテナー本体８１０上に配置されて図示されているが、供給機構８００は、任意の種類の本体を有する任意の製品コンテナーと共に用いられてよい。以下により詳しく記載されるように、本体８１０が柔軟な材料で構成されている場合、ベース部材８４０の内部リブ８１８は、本体８１０内に延在していて、それによって、本体８１０が潰れるのを防止し、本体８１０の中身が供給できることを確実にしている。好ましくは、供給機構８００は、付着特徴部８３０を含み、その供給機構が取り付けられた製品コンテナーが、一つ以上の製品コンテナーまたは供給装置をしっかりと留めるように構成されたハウジング内に保管され、ハウジングに入れた状態で運搬されるようにしている。
【００４４】
図７Ａから図７Ｃに示されているように、キャップ部材８２０は、ねじ山が設けられた雌型特徴部８２４を含み、この雌型特徴部８２４は、ベース部材８４０の対応するねじ山が設けられた雄型特長部８４４を受容するように構成されている。それに代わって、キャップ部材８２０がねじ山が設けられた雄型部材を含み、ベース部材８４０がねじ山が設けられた雌型部材を含んでいる場合がある。キャップ部材８２０およびベース部材８４０を結合しコンテナーの中身が失われるのを防止するその他の機構が、当業者には分かるであろう。
【００４５】
キャップ部材８２０は、少なくとも１つの偏向可能な部材８２２を含んでいる。偏向可能な部材８２２は、一つのエッジに沿って（例えば、キャップ部材８２０の上面に隣接して）キャップ部材８２０に結合されている。そうなので、偏向可能な部材８２２の偏向した部分は、キャップ部材８２０の内側領域内に移動する。したがって、経路Ｃに沿って偏向可能な部材８２２に力が加えられると、偏向可能な部材８２２はキャップ部材８２０内に内向きに移動して、キャップ部材８２０との付着点から遠い偏向可能な部材８２２の部分が、キャップ部材８２０との付着点により近い、偏向可能な部材８２２の部分よりも、さらにキャップ部材８２０の中に移動する。
【００４６】
キャップ部材８２０およびベース部材８４０は、一体で、子供に対する抵抗のある機構を提供する。図７Ａおよび図７Ｃに見られるように、偏向可能な部材８２２の自由端部８２６は、キャップ部材８２０の底面エッジの下に延在し、ベース部材８４０のスロット８４２内に延在している。そうなので、その偏向されていない状態では、偏向可能な部材８２２は、スロット８４２内に維持されていて、キャップ部材８２０がベース部材８４０からねじって外されるのを防止している。しかし、偏向可能な部材８２２に（例えば、方向Ｃに沿って）力が加えられると、偏向可能な部材８２２、特に、自由端部８２６は、キャップ部材８２０がベース部材８４０からねじって外されるときに、スロット８４２から取り除かれる場合がある。
【００４７】
図７Ｃは、キャップ部材８２０およびベース部材８４０の子供に対する抵抗性のある特徴部をより詳しく示している。その偏向されていない状態では、偏向可能な部材８２２は、自由端部８２６を含めて、キャップ部材８２０の周縁部に沿って配置されている。しかし、経路Ｃに沿った力が加えられると、偏向可能な部材８２２およびその自由端部８２６は、各々、キャップ部材８２０内の位置８２２’および位置８２６’に向かって内向きに移動する。
【００４８】
図７Ｃをなお参照すると、ベース部材８４０のスロット８４２は、偏向可能な部材８２２がその偏向されていない状態にある場合にキャップ部材８２０の動きを拘束し、偏向可能な部材８２２がその偏向された状態（すなわち、８２２’）にある場合にキャップ部材８２０の動き（すなわち、ねじって外されるのを）を許容する、ように構成されている。より詳しく言うと、偏向可能な部材８２２がその偏向されていない状態にある場合、自由端部８２６は、ノッチ８４６によって、実質的にスロット８４２内に保持されている。しかし、経路Ｃに沿った力が加えられると、偏向された自由端部８２６’は、もはやノッチ８４６によって拘束されず、キャップ部材８２０は、方向Ｄに沿って回転力が加えられると、ベース部材８４０からねじって外される場合がある。
【００４９】
図７Ｄは、ベース部材８４０の下側を、より詳しく言うと、上述されたベース部材８４０の内部リブ８１８を、示している。図示されているように、内部リブ８１８は、ほぼダイヤモンド類似の断面形状を有しているが、その他の形状が用いられる場合もある。内部リブ８１８は、ねじ山が設けられた雄型特徴部８４４の下側をほぼ取り囲んでいて、ねじ山が設けられた雄型特徴部８４４を通して製品が供給される場合がある。上述したように、本体８１０が柔軟な材料で構成されている場合、内側リブ８１８は、本体８１０が潰れること（すなわち、本体８１０の向かい合う内側面同士の広い面積での接触）を防止し、そのような本体の潰れは、本体８１０から製品が供給されるのを妨げる場合がある。ある好ましい実施の形態では、本体８１０の内側面の少なくとも一部は、例えば、接着剤を用いて、内部リブ８１８の表面に接着されている。
【００５０】
図８Ａから図８Ｄは、本発明に基づく一つ以上の製品コンテナーを実質的にしっかりと留めるためのハウジング９００を示している。図８Ａでは、本発明のある実施の形態に基づくハウジング９００は、基部９１０と、蓋９５０と、基部９１０と蓋９５０との間のヒンジ９６０と、製品コンテナーをしっかりと留めるための複数のタブ９２０と、を含んでいる。図示されているように、各タブ９２０は、嵌め合わせ特徴部９３０を含んでいて、嵌め合わせ特徴部９３０は、付着特徴部（例えば、図１Ａの付着特徴部１３０）と適合するように構成されていて、嵌め合わせ特徴部９３０と付着特徴部１３０とを一対にすることが、製品コンテナー（例えば、図１Ａの製品コンテナー１００）をハウジング９００に実質的にしっかりと留めるようになっている。
【００５１】
図１Ａに関して上述したように、付着特徴部１３０は、当業者によって気付かれるであろうように、任意の個数の装置または機構を含んでいる場合がある。図８Ａから図８Ｄに示されているように、そして、以下により詳しく記載されるように、嵌め合わせ特徴部９３０は、付着特徴部１３０の尾根部または突出部との適合性を有するように構成されたくぼみまたは溝を含んでいる。
【００５２】
こんどは、図８Ｂを参照すると、ハウジング９００は、複数の製品コンテナー１００Ａ，１００Ｂ，２００と共に図示されていて、製品コンテナーの各々は、ハウジング９００に挿入し実質的にしっかりと留めるまでのさまざまなステージで示されている。製品コンテナー１００Ａは、基部９１０によって画定された空間の中に実質的に導入され終えている。製品コンテナー１００Ｂは、ハウジング９００内にさらに挿入されていて、その供給部分１２０（図１Ａ）の一部は、タブ９２０Ｂの下に配置されている。しかし、製品コンテナー１００Ｂの付着特徴部１３０（図１Ａ）は、タブ９２０Ｂの嵌め合わせ特徴部９３０Ｂにいまだしっかりと留められ終えていない。製品コンテナー２００は、ハウジング９００内に十分に挿入された状態で図示されていて、タブ９２０Ｃの嵌め合わせ特徴部９３０Ｃは、付着特徴部２３０Ａ（図２）にしっかりと留められ終えている。製品コンテナー２００が第２の付着特徴部２３０Ｂ（図２）を含む場合、第２の付着特徴部は、同様に、タブ９２０Ｄの嵌め合わせ特徴部９３０Ｄにしっかりと留められ終えている。
【００５３】
いったん、望まれる製品コンテナーの各々（例えば、コンテナー１００Ａ、１００Ｂ、２００）が、十分にハウジング９００に挿入されて、ハウジング９００にしっかりと留められ終えると、蓋９５０は、ヒンジ９６０を軸にして旋回させられて、ハウジング９００を閉じられた位置へ移す場合がある。蓋９５０、基部９１０、または、ハウジング９００の任意のその他の部分は、当業者によって気付かれるであろうように、蓋９５０を基部９１０に実質的にしっかりと留めるための装置または機構をさらに含んでいる場合がある。そのような実施の形態は、旅行中に個人用ヘルスケア製品を保管し運搬するのに特に有用である。
【００５４】
しかし、ハウジング９００の別の実施の形態も、もちろん可能であることが、注意されなければならない。例えば、ハウジング９００は、蓋９５０またはヒンジ９６０を必ずしも含まなくてよい。そのような実施の形態は、基部９１０および一つ以上のタブ９３０Ａから９３０Ｄを含み、頻繁にアクセスされる個人用ヘルスケア製品を保管するために有益である場合がある。
【００５５】
図８Ｃおよび図８Ｄは、各々、タブ９２０Ｄをしっかりと留める間、および、しっかりと留めた後の、製品コンテナー２００の断面図を示している。図８Ｃでは、製品コンテナー２００は、基部９１０に関してわずかな角度（θ）で示されている。製品コンテナー２００を方向Ｅに沿ってタブ９２０Ｄの下へ挿入すると、タブ９２０Ｄの遠位の部分は、製品コンテナー２００を収容するために、基部９１０からわずかに離れて偏向させられる。好ましい実施の形態では、製品コンテナーの厚み（例えば、供給部分２２０の厚み）は、タブ９２０Ｄ（タブが偏向させられていない、静止位置）と基部９１０との間の間隔よりもわずかに長い。そのような配置は、製品コンテナー２００、タブ９２０Ｄ、および、基部９１０、の間の締まりばめを提供する。
【００５６】
図８Ｄでは、製品コンテナー２００は、タブ９２０Ｄと基部９１０との間に十分に挿入され終えていて、付着特徴部２３０は、嵌め合わせ特徴部９３０Ｄに隣接して配置されている。付着特徴部２３０と嵌め合わせ特徴部９３０Ｄとの結合は、上述された製品コンテナー２００、タブ９２０Ｄ、および、基部９１０、の間の締まり嵌めに加えて、タブ９２０Ｄと基部９１０との間に製品コンテナーを実質的にしっかりと留める。図８Ｄに示されているように、タブ９２０Ｄの遠位の端部は、その偏向されていない位置に十分にまたは実質的に戻され終えている。
【００５７】
図９Ａから図９Ｇは、本発明のさらに別の実施の形態を示していて、その実施の形態は、その中に一つ以上のハウジング９００が固定してまたは非固定的に付着される場合があるケース１０００を含んでいる。好ましくは、ハウジング９００は、非固定的に付着されている。ケース１００は、箱に類似した構造で、基部１０１０と、基部１０１０に実質的に垂直な基部壁１０１２と、蓋１０５０と、蓋１０５０に実質的に垂直な蓋壁１０５２と、を含んでいる。ケース１０００は、追加的な機能および／または便利さを提供するために、任意の数の追加的な特徴部を含んでいる場合がある。例えば、基部１０１０の内側面は、シート状の布、プラスチック、弾性材料、などの柔軟な部材１０１４を含む場合があり、それによって、柔軟な部材１０１４と基部１０１０との間にポケットを形成している。これは、例えば、使用者の処方箋、個人用ヘルスケア製品の使用説明書、などを保管するのに、有用な場合がある。
【００５８】
図９Ａに示されているように、ハウジング９００は、図８Ａおよび図８Ｂのハウジングと類似している。しかし、ハウジング９００は、ハウジング９００をケース１０００の内側部分にしっかりと留めるために、スロット９８０をさらに含んでいる。ケース１０００は、スロット９８０内に嵌まるように構成された対応するバー１０８０を含んでいて、これによって、ハウジング９００をケース１０００に実質的しっかりと留めている。
【００５９】
図９Ｂから図９Ｄは、ハウジング９００をケース１０００にしっかりと留める様子をより詳しく示した図である。図９Ｂは、ハウジング９００およびバー１０８０を断面で示している。バー１０８０は、実質的に円形の断面形状を有するロッド１０８４と、ロッド１０８４が付着されるフィン１０８２と、を含んでいる。ロッド１０８４と、フィン１０８２の少なくとも一部と、はハウジング９００のスロット９８０内に嵌まるように構成されている。
【００６０】
図９Ｃは、ハウジング９００およびバー１０８０の側面図である。図に見られるように、ロッド１０８４は、好ましくはスロット９８０の幅Ａよりもわずかに広い幅Ｂを有していて、バー１０８０をスロット９８０内に挿入する間に、ロッド１０８４とスロット９８０との間に締まり嵌めが形成される。すなわち、ロッド１０８４は、フィン１０８２を越えて延びる端部１０８６，１０８８を含み、端部１０８６，１０８８は、バー１０８０をスロット９８０内に挿入したときに、スロット９８０に隣接するハウジング９００の表面に接触するように構成されている。そうなので、スロット９８０へのバー１０８０の挿入時に、端部１０８６，１０８８が偏向してもよいように、ロッド１０８４は、好ましくは少なくともその一部が柔軟な材料で構成されている。図９Ｄは、ハウジング９００のスロット９８０内に挿入された後のバー１０８０を示している。図に見られるように、端部１０８８は、挿入の間に偏向され（１０８８’）、挿入に際して、ロッド１０８４はハウジング９００内に保持され、それによって、ハウジング９００をバー１０８０に実質的にしっかりと非固定的に留める。
【００６１】
図９Ｅおよび図９Ｆは、バー１０８１を（したがって、さらに、図示されていないケースをも）ハウジング９００に付着するための代わりの機構を示している。図９Ｅおよび図９Ｆに示されているように、ロッド１０８５は、半径方向に部分的に分離されていて、図９Ｅに示すその弛緩位置では、直径ｄ２はスロット９８０の直径ｄ１よりも大きい。しかし、ロッド１０８５をスロット９８０内に挿入するときには、ロッド１０８５は図９Ｆの圧縮位置になり、この圧縮位置では、ロッド１０８５はスロット９８０の直径ｄ１以下の直径ｄ３を有する。ハウジング９００内にいったん挿入され終えると、ロッド１０８５はその弛緩位置に戻る場合があり、その弛緩位置では、ロッド１０８５の直径ｄ２は、スロット９８０の直径ｄ１よりも大きく、それによって、バー１０８１がハウジング９００から外れるのを実質的に防止している。ロッド１０８５がその弛緩位置と圧縮位置との間で変化するのを容易にするために、ロッド１０８５は、好ましくは、少なくともその一部が柔軟な材料で構成されている。
【００６２】
図９Ｇは、本発明に基づくケース１００２の別の実施の形態を示している。ケース１００２は、複数の（すなわち、４個以下の）ハウジング９００Ａ，９００Ｂをしっかりと留めるための複数のバー１０８０Ａ，１０８０Ｂ（隠れている。），１０８０Ｃ，１０８０Ｄを含んでいる。図９Ｇに示されているように、一対のバーが基部壁１０１２および蓋壁１０５２の各々の内側面に沿って配置されている。任意の複数の代わりの配置も、当業者によって気付かれるであろうように、可能である。
【００６３】
本発明に基づくケース１０００，１００２は、任意の個数のハウジング９００を収容するように構成されている場合がある。同様に、当業者によって気付かれるであろうように、ケース１０００内に収容されたハウジング９００は、さまざまな形状および寸法を有している場合があり、あるハウジング９００を取り除き別のハウジングに替えることができるようにしている。例えば、一日分または二日分の個人用ヘルスケア製品を保管するのに適したより小さいハウジング（図示されていない。）が一週間分の個人用ヘルスケア製品を保管するのに適したより大きなハウジング（例えば、ハウジング９００）に置き替えられる場合がある。したがって、ハウジング９００は、予め選択された個人用ヘルスケア製品が完全に蓄えられた状態で消費者に提供される場合があり、消費者は個々の製品コンテナーではなく、一つ以上のハウジング９００を購入することのみを必要とする。
【００６４】
こんどは、図１０Ａおよび図１０Ｂを参照すると、バッグ１１００が示されていて、バッグ１１００は図９Ａおよび図９Ｅのケースのようなケース１０００，１００２と共に用いるように構成されている。バッグ１１００は、柔軟な本体１１２０と、硬質フレーム１１１０と、を含んでいる。フレーム１１１０は、ハウジング９００（図９Ａから図９Ｅ）で示されているものと同様のスロット１１８０を含んでいる。そうなので、バッグ１１００は、上述されたハウジング９００をしっかりと留め保管するのと同様な方式で、バー１０８０に実質的にまたは非固定的にしっかりと留められ、ケース１０００，１００２内に保管される場合がある。本体１１２０は、例えば、接着剤、フックおよびループ、熱融着、などを含む、任意の数の方法によって、フレーム１１１０に固定してまたは非固定的にしっかりと留められる場合がある。
【００６５】
バッグ１１００は、使用者が、ハウジングと共に使用するように構成された製品コンテナー内に収容されて提供されていない、または、そのような製品コンテナー内で用いるのに適していない、個人用ヘルスケア製品または他の材料を保管および運搬することができるようにする。そのような製品の例には、例えば、化粧品および瓶入り処方薬、などが含まれる。使用者がそのような製品を保管および／または運搬する必要もしくは希望を有する場合には、それらの製品は、バッグ１１００の本体１１２０内に配置され、バッグ１１００は、本発明に基づくケース１０００，１００２内にしっかりと留められる場合がある。そのようなバッグ１１００の使用は、本発明に基づく、ハウジング９００を使用する代わりに、または、ハウジング９００を使用するのに加えて、行われる場合がある。好ましくは、本体１１２０は、本体１１２０内に保管された製品が失われるのを防止するための閉鎖装置１１７０を含む。当業者によって認識されるであろうように、任意の数の閉鎖装置が用いられる場合があり、例えば、ジッパー、スナップ、留め金、フックおよびループ、ボタン、接着剤、などが用いられる。好ましくは、閉鎖装置１１７０は、ジッパー１１７２を含む。
【００６６】
図１１Ａから図１１Ｄは、本発明に基づくケース１０００，１００２のケースにハウジング９００またはバッグ１１００をしっかりと留めるための別の装置を示している。図１１Ａおよび図１１Ｂでは、バー９８０は、ケース１０００（図９Ａおよび図９Ｅ）内ではなく、ハウジング９００の表面に配置されている。基部壁１０１２の内側面は、例えば、一対の平行なロッド１２８２，１２８４を含み、それらロッドの間には、バー９８０のロッド９８４が配置されている場合がある。平行なロッド１２８２，１２８４は、図１１Ｂに示されているように、ロッド１２８２，１２８４の間をロッド９８４が通過するためには、所定の大きさの力が加えられなければならないように、配置されている。しかし、図９Ｂに示されているように、ロッド９８４はフィン９８２の幅よりも広い幅を有しているので、いったんロッド９８４が平行なロッド１２８２，１２８４の間を通過すると、同様な力がバー９８０を外すために必要とされる。バー９８０は、バー９８０を図１１Ｂの平行なロッド１２８２，１２８４と区別するのを助けるために、陰影で描かれている。
【００６７】
図１１Ａおよび図１１Ｂに示されているように、平行なロッド１２８２，１２８４は、平行なロッド１２８２，１２８４の各々を通って延びる一つ以上のループ１２８６によって平行に方向付けられて維持され、例えば、一つ以上のリング１２８８によって、基部壁１０１２にしっかりと留められている。別の機構も、当業者によって知られているであろうように、可能である。
【００６８】
図１１Ｃおよび図１１Ｄでは、ハウジング９００またはバッグ１１００をケース１０００，１００２にしっかりと留めるためのさらに別の装置が、図示されている。ハウジング９００は、フィン９８２内に形成された一つ以上の開口９８４を有するレール９８０を含んでいる。本発明に基づくケースは、基部１２８６および一対の三日月形部材１２８２，１２８４を有する一つ以上の対応する溝形部（channel）１２８０を含んでいる場合がある。間隙１２８８が、三日月形部材１２８２，１２８４の間に形成されていて、間隙１２８８内にはレール９８０が配置される場合がある。より詳しく言うと、レール９８０のフィン９８２は、間隙１２８８の中に配置される場合があり、一方、三日月形部材１２８２，１２８４の自由端部は、開口９８４を部分的に通る。そのような配置によって、レール９８０が、書籍のページによく似たように、レール９８０を中心として回転できるようになる。任意の複数の同様な付着装置が、当業者によって気付かれるであろうように、同様に用いられる場合がある。
【００６９】
上述された装置は、各々の個人用ヘルスケア製品が上記の製品コンテナーのような製品コンテナー内にパッケージングされていてハウジングにしっかりと留められるように構成された、複数の個人用ヘルスケア製品を提供することによって、販売業者の設立物の単一の領域内での個人用ヘルスケア製品の商品販売促進を可能にする。必要な場合には、一つまたは複数のそのような個人用ヘルスケア製品は、ハウジングおよび／またはケース内に、もしくは、ハウジングおよび／またはケースと共に、提供される場合があり、購入者は、製品コンテナーを使用するために、予めハウジングまたはケースを用意する必要がない。
【００７０】
本発明のさまざまな態様の上記の記載は、例示および説明の目的で、提供されてきた。上記の記載は、網羅的なものであることも、本発明を開示された正確な形態に限定することも、意図されておらず、そして、明らかに、多くの変形および変更が可能である。当業者には明らかであるかもしれないそのような変形および変更は、添付の特許請求の範囲の記載によって定義されるような本発明の範囲内に包含されることが意図されている。
【００７１】
〔実施の態様〕
この発明の具体的な実施態様は以下の通りである。
（１）ヘルスケア製品保管装置において、
複数の製品コンテナーであって、
前記製品コンテナーの各々は、
本体、
供給部分、および、
付着特徴部、
を含む、
複数の製品コンテナーと、
前記複数の製品コンテナーの各々の前記付着特徴部に適合するように構成された嵌め合わせ特徴部を含むハウジングと、
を具備し、
前記製品コンテナーの前記付着特徴部と前記ハウジングの前記嵌め合わせ特徴部との結合が、前記製品コンテナーを前記ハウジングに実質的にしっかりと非固定的に留める、装置。
（２）実施態様（１）に記載の装置において、
前記複数の製品コンテナーの各々の寸法が、
少なくとも一つの別の製品コンテナーの寸法の倍数、および、
少なくとも一つの別の製品コンテナーの寸法の正にそのもの（integer）、
の少なくともいずれか、である、装置。
（３）実施態様（２）に記載の装置において、
前記複数の製品コンテナーの各々の寸法が、
前記製品コンテナーの幅、および、
前記製品コンテナーの体積、
の少なくともいずれか、である、装置。
（４）実施態様（１）に記載の装置において、
前記付着特徴部が、尾根部を含み、
前記嵌め合わせ特徴部が、前記尾根部を実質的に覆うように構成された溝形部を含む、装置。
（５）実施態様（１）に記載の装置において、
前記複数の製品コンテナーの各々の前記本体が、錠剤、丸剤、カプセル、ゲル、液体、粉末、パッケージ、および、供給装置のうちの少なくとも一つを収容するように構成されている、装置。
（６）実施態様（１）に記載の装置において、
前記複数の製品コンテナーの各々の前記供給部分が、前記複数の製品コンテナーの各々の前記本体内の空間から、錠剤、丸剤、カプセル、ゲル、液体、粉末、パッケージ、および、供給装置のうちの少なくとも一つを供給するように構成されている、装置。
（７）実施態様（１）に記載の装置において、
前記装置が、
少なくとも一つのハウジングを収容するように構成されたケース、
をさらに具備する、装置。
（８）実施態様（７）に記載の装置において、
前記ケースは、少なくとも一つのハウジングを前記ケースの内側面に非固定的に付着するための付着装置を含む、装置。
（９）実施態様（８）に記載の装置において、
前記付着装置は、前記少なくとも一つのハウジング内の細長いスロット内に嵌め合わされるように構成された細長い部材を含む、装置。
（１０）実施態様（９）に記載の装置において、
前記細長い部材の幅が、前記細長いスロットの幅よりも大きい、装置。
【００７２】
（１１）実施態様（１０）に記載の装置において、
前記細長い部材の少なくとも一部が、柔軟である、装置。
（１２）実施態様（１）に記載の装置において、
前記供給部分が、
キャップ部分であって、
ねじ山が設けられた雌型部材、および、
少なくとも一つの偏向可能な部材、
を含む、キャップ部分と、
ベース部分であって、
前記ねじ山が設けられた雌型部材にねじって嵌められ前記雌型部材からねじって外されるように構成された、ねじ山が設けられた雄型部材、および、
前記少なくとも一つの偏向可能な部材の少なくとも一部を受容するように構成された少なくとも一つの溝、
を含む、ベース部材と、
を具備し、
前記少なくとも一つの偏向可能な部材は、偏向されていない状態では、前記少なくとも一つの溝内に配置されていて、前記キャップ部分が前記ベース部分からねじって取り除かれるのを実質的に防止し、偏向された状態では、前記キャップ部分が前記ベース部分からねじって取り除かれるときに、前記少なくとも一つの溝から取り除かれ得るようになっている、装置。
（１３）ヘルスケア製品保管コンテナーにおいて、
前記コンテナーが、
本体、
供給部分、および、
付着特徴部、
を含み、
前記付着特徴部が、前記コンテナーを実質的にしっかりと留めるために、ハウジングの嵌め合わせ特徴部に適合するように構成されている、コンテナー。
（１４）実施態様（１３）に記載のコンテナーにおいて、
前記付着特徴部が、前記本体および前記供給部分の少なくともいずれかに設けられた尾根部を含む、コンテナー。
（１５）実施態様（１３）に記載のコンテナーにおいて、
前記本体が、
錠剤、丸剤、カプセル、ゲル、液体、粉末、パッケージ、および、供給装置
のうちの少なくとも一つを収容するように構成されている、コンテナー。
（１６）実施態様（１３）に記載のコンテナーにおいて、
前記供給部分が、前記本体内の空間から、
錠剤、丸剤、カプセル、ゲル、液体、粉末、パッケージ、および、供給装置
のうちの少なくとも一つを供給するように構成されている、ヘルスケア製品保管コンテナー。
（１７）実施態様（１３）に記載のコンテナーにおいて、
前記供給部分が、
キャップ部分であって、
ねじ山が設けられた雌型部材、および、
少なくとも一つの偏向可能な部材、
を含む、キャップ部材と、
ベース部分であって、
前記ねじ山が設けられた雌型部材にねじって嵌められ前記雌型部材からねじって外されるように構成されたねじ山が設けられた雄型部材、および、
前記少なくとも一つの偏向可能な部材の少なくとも一部を受容するように構成された少なくとも一つの溝、
を含む、ベース部分と、
を具備し、
前記少なくとも一つの偏向可能な部材は、偏向されていない状態では、前記少なくとも一つの溝内に配置されていて、前記キャップ部分が前記ベース部分からねじって取り除かれるのを実質的に防止し、偏向された状態では、前記キャップ部分が前記ベース部分からねじって取り除かれるときに、前記少なくとも一つの溝から取り除かれ得るようになっている、コンテナー。
（１８）複数の製品コンテナーを実質的にしっかりと留めるためのハウジングにおいて、
ベース部分と、
複数の嵌め合わせ特徴部であって、前記嵌め合わせ特徴部の各々は、前記製品コンテナーの付着特徴部と適合するように構成されている、複数の嵌め合わせ特徴部と、
を具備する、ハウジング。
（１９）実施態様（１８）に記載のハウジングにおいて、
前記嵌め合わせ特徴部は、前記付着特徴部の尾根部を実質的に覆うように構成された溝形部を含む、ハウジング。
（２０）実施態様（１８）に記載のハウジングにおいて、
蓋部分、
をさらに具備する、ハウジング。
【００７３】
（２１）実施態様（２０）に記載のハウジングにおいて、
前記ベース部分を前記蓋部分にしっかりと留める手段、
をさらに具備する、ハウジング。
（２２）実施態様（２１）に記載のハウジングにおいて、
前記しっかりと留める手段が、摩擦嵌めシール、前記ベース部分および前記蓋部分に設けられた連結部材、ジッパー、スナップ、接着剤、ならびに、フックおよびループ、の少なくともいずれかを含む、ハウジング。
（２３）子供に対する抵抗性を有する供給機構において、
キャップ部分であって、
第１のねじ山が設けられた部材、および、
少なくとも一つの偏向可能な部材、
を含む、キャップ部分と、
ベース部分であって、
前記第１のねじ山が設けられた部材にねじって嵌め合わされ前記第１のねじ山が設けられた部材からねじって外されるように構成された、第２のねじ山が設けられた部材、および、
前記少なくとも一つの偏向可能な部材の少なくとも一部を受容するように構成された少なくとも一つの溝、
を含む、ベース部分と、
を具備し、
前記少なくとも一つの偏向可能な部材は、偏向されていない状態では、前記少なくとも一つの溝内に配置されて、前記キャップ部分が前記ベース部分からねじって外されるのを実質的に防止し、偏向された状態では、前記キャップ部分が前記ベース部分からねじって取り除かれるときに、前記少なくとも一つの溝から取り除かれ得るようになっている、供給機構。
（２４）実施態様（２３）に記載の供給機構において、
前記ベース部分が、コンテナーにしっかりと留められるように構成されている、供給機構。
（２５）実施態様（２３）に記載の供給機構において、
前記少なくとも一つの溝が、
前記少なくとも一つの偏向可能な部材の一部を受容するように構成されたスロット部分と、
前記少なくとも一つの偏向可能な部材の前記一部を実質的にしっかりと留めるように構成されたエッジ部分と、
を含む、供給機構。
（２６）実施態様（２３）に記載の供給機構において、
前記キャップ部分が、２つの偏向可能な部材を含む、供給機構。
（２７）実施態様（２６）に記載の供給機構において、
前記２つの偏向可能な部材が、前記キャップ部分の対向する両側に配置されている、供給機構。
（２８）実施態様（２３）に記載の供給機構において、
前記供給機構を実質的にしっかりと留めるために、ハウジングの嵌め合わせ特徴部と適合するように構成された付着特徴部、
をさらに具備する、供給機構。
（２９）実施態様（２８）に記載の供給機構において、
前記付着特徴部が、前記キャップ部分、および、前記ベース部分、の少なくともいずれかに配置されている、供給機構。
（３０）液体供給装置において、
液体収容部分と、
開口を含む中間部分と、
使用者が前記開口を通して前記液体収容部分内の液体を押すのを援助するように構成されたバルブ部材と、
前記中間部分にスライド可能に結合され、前記開口を交互に覆ったり見えるようにしたりするように構成された、カバー部分と
を具備し、
前記カバー部分は、前記カバー部分が前記開口を覆っているときに、前記液体が前記開口を通して供給されるのを実質的に防止する、装置。
【００７４】
（３１）実施態様（３０）に記載の装置において、
前記バルブ部材が、前記液体収容部分の表面のくぼみ、前記液体収容部分の表面の隆起した領域、および、前記液体収容部分の表面の模様、のいずれかひとつを含む、装置。
（３２）実施態様（３０）に記載の装置において、
前記液体収容部分が、目薬の溶液、および、塩水の溶液、の少なくともいずれかを収容するように構成されている、装置。
（３３）実施態様（３２）に記載の装置において、
前記カバー部分が、使用者の鼻の表面で平衡するように構成されている、装置。
（３４）実施態様（３２）に記載の装置において、
使用者が前記開口からの前記液体の供給を行うのを援助するように構成されたリング部材、
をさらに具備する、装置。
（３５）保管装置において、
柔軟な閉鎖装置と、
前記閉鎖装置を保持するための硬質フレームと、
前記保管装置をケースに実質的にしっかりと留めるための前記硬質フレームの表面に配置された付着特徴部と、
を具備する、装置。
（３６）実施態様（３５）に記載の装置において、
前記閉鎖装置を閉じる手段、
をさらに具備する、装置。
（３７）実施態様（３６）に記載の装置において、
前記閉じる手段が、ジッパー、スナップ、ボタン、接着剤、フックおよびループ、および、紐、の少なくともいずれかを含む、装置。
（３８）実施態様（３５）に記載の装置において、
前記付着特徴部が、前記ハウジングの嵌め合わせ特徴部を受容するための細長いスロットを含み、
前記嵌め合わせ特徴部が、前記細長いスロット内に嵌め合わされるように構成された細長い部材を含む、装置。
（３９）実施態様（３５）に記載の装置において、
前記柔軟な閉鎖装置が、布地、メッシュ、および、プラスチック、の少なくともいずれかを含む、装置。
（４０）実施態様（３５）に記載の装置において、
前記付着特徴部が、前記ケースの表面に配置された細長い部材を受容するように構成された細長いスロットを含む、装置。
【００７５】
（４１）実施態様（４０）に記載の装置において、
前記細長い部材の幅が、前記細長いスロットの幅よりも広い、装置。
（４２）個人用ヘルスケア製品の販売促進方法において、
販売業者の設立物の単一の領域に、複数の個人用ヘルスケア製品を提供すること、
を含み、
前記複数の個人用ヘルスケア製品の各々が、ハウジングにしっかりと留められるように構成された製品コンテナー内に包装されている、方法。
（４３）実施態様（４２）に記載の方法において、
前記個人用ヘルスケア製品が、
局所的な傷の処置を意図する救急薬、うがい薬、歯鎮痛剤、歯肉鎮痛剤、デンタルフロス、歯ブラシ、息清涼化薬、息スプレー、うっ血除去薬、抗ヒスタミン薬、せき止め、および、アレルギー、感冒、せき、または、副鼻洞解放ための薬剤、を含む、上気道の状態の処置、防毒治療薬、アイケア溶液、制酸薬、胃腸処置、痒み止め薬、包帯、リップケア処置、ローション、乗り物酔い処置、下痢止め薬、鎮痛薬、アレルギー薬、医薬品、消毒剤、ワイパー、ティシュー、抗生剤軟膏、スプレー、局所鎮痛剤、加熱パッチ、毛髪再増殖組成物、抗炎症処置、ニコチン含有ガム、歯増白ガム、および、タバコ依存治療、
の少なくともいずれかを含む、方法。
（４４）実施態様（４２）に記載の方法において、
前記ハウジングが、ケースにしっかりと留められるように構成されている、方法。
（４５）実施態様（４２）に記載の方法において、
前記製品コンテナーが、
本体と、
供給部分と、
付着特徴部と、
を具備し、
前記付着特徴部が、前記コンテナーを実質的にしつかりと留めるために前記ハウジングの嵌め合わせ特徴部と適合するように構成されている、方法。
（４６）実施態様（４５）に記載の方法において、
前記供給部分が、
キャップ部分であって、
ねじ山が設けられた雌型部材、および、
少なくとも一つの偏向可能な部材、
を含む、キャップ部分と、
ベース部分であって、
前記ねじ山が設けられた雌型部材にねじって嵌め合わされ前記雌型部材からねじって外されるように構成された、ねじ山が設けられた雄型部材、および、
前記少なくとも一つの偏向可能な部材の少なくとも一部を受容するように構成された、少なくとも一つの溝、
を含む、ベース部分と、
を具備し、
前記少なくとも一つの偏向可能な部材は、偏向されていない状態では、前記少なくとも一つの溝内に配置されて、前記キャップ部分が前記ベース部分からねじって外されるのを実質的に防止し、偏向された状態では、前記キャップ部分が前記ベース部分からねじって取り除かれるときに、前記少なくとも一つの溝から取り除かれ得るようになっている、方法。
【図面の簡単な説明】
【００７６】
【図１Ａ】本発明に基づく例示的な製品コンテナーを示す図である。
【図１Ｂ】本発明に基づく例示的な製品コンテナーを示す図である。
【図１Ｃ】本発明に基づく例示的な製品コンテナーを示す図である。
【図２】本発明に基づく別の製品コンテナーを示す図である。
【図３Ａ】本発明に基づく別の製品コンテナーを示す図である。
【図３Ｂ】本発明に基づく別の製品コンテナーを示す図である。
【図４Ａ】個々の適用量の液体またはローションを保管し供給するための本発明に基づく例示的な製品コンテナーを示す図である。
【図４Ｂ】個々の適用量の液体またはローションを保管し供給するための本発明に基づく例示的な製品コンテナーを示す図である。
【図４Ｃ】個々の適用量の液体またはローションを保管し供給するための本発明に基づく例示的な製品コンテナーを示す図である。
【図５Ａ】液体を保管し供給するための本発明に基づく例示的な製品コンテナーを示す図である。
【図５Ｂ】液体を保管し供給するための本発明に基づく例示的な製品コンテナーを示す図である。
【図５Ｃ】液体を保管し供給するための本発明に基づく例示的な製品コンテナーを示す図である。
【図５Ｄ】液体を保管し供給するための本発明に基づく例示的な製品コンテナーを示す図である。
【図５Ｅ】液体を保管し供給するための本発明に基づく例示的な製品コンテナーを示す図である。
【図６Ａ】液体を保管しスプレーとして供給するための本発明に基づく製品コンテナーを示す図である。
【図６Ｂ】液体を保管しスプレーとして供給するための本発明に基づく製品コンテナーを示す図である。
【図６Ｃ】液体を保管しスプレーとして供給するための本発明に基づく製品コンテナーを示す図である。
【図７Ａ】本発明に基づく供給機構を示す図である。
【図７Ｂ】本発明に基づく供給機構を示す図である。
【図７Ｃ】本発明に基づく供給機構を示す図である。
【図７Ｄ】本発明に基づく供給機構を示す図である。
【図８Ａ】本発明に基づく例示的な製品コンテナーハウジングを示す図である。
【図８Ｂ】本発明に基づく例示的な製品コンテナーハウジングを示す図である。
【図８Ｃ】本発明に基づく例示的な製品コンテナーハウジングを示す図である。
【図８Ｄ】本発明に基づく例示的な製品コンテナーハウジングを示す図である。
【図９Ａ】本発明に基づく製品コンテナーハウジングを保管するためのケースおよび付着機構を示す図である。
【図９Ｂ】本発明に基づく製品コンテナーハウジングを保管するためのケースおよび付着機構を示す図である。
【図９Ｃ】本発明に基づく製品コンテナーハウジングを保管するためのケースおよび付着機構を示す図である。
【図９Ｄ】本発明に基づく製品コンテナーハウジングを保管するためのケースおよび付着機構を示す図である。
【図９Ｅ】本発明に基づく製品コンテナーハウジングを保管するためのケースおよび付着機構を示す図である。
【図９Ｆ】本発明に基づく製品コンテナーハウジングを保管するためのケースおよび付着機構を示す図である。
【図９Ｇ】本発明に基づく製品コンテナーハウジングを保管するためのケースおよび付着機構を示す図である。
【図１０Ａ】本発明に基づく例示的な柔軟な保管装置を示す図である。
【図１０Ｂ】本発明に基づく例示的な柔軟な保管装置を示す図である。
【図１１Ａ】本発明に基づくケースおよび製品コンテナハウジング用の別の付着機構を示す図である。
【図１１Ｂ】本発明に基づくケースおよび製品コンテナハウジング用の別の付着機構を示す図である。
【図１１Ｃ】本発明に基づくケースおよび製品コンテナハウジング用の別の付着機構を示す図である。
【図１１Ｄ】本発明に基づくケースおよび製品コンテナハウジング用の別の付着機構を示す図である。
【図１Ａ】
2009519865.tif 000003
【図１Ｂ】
2009519865.tif 000004
【図１Ｃ】
2009519865.tif 000005
【図２】
2009519865.tif 000006
【図３Ａ】
2009519865.tif 000007
【図３Ｂ】
2009519865.tif 000008
【図４Ａ】
2009519865.tif 000009
【図４Ｂ】
2009519865.tif 000010
【図４Ｃ】
2009519865.tif 000011
【図５Ａ】
2009519865.tif 000012
【図５Ｂ】
2009519865.tif 000013
【図５Ｃ】
2009519865.tif 000014
【図５Ｄ】
2009519865.tif 000015
【図５Ｅ】
2009519865.tif 000016
【図６Ａ】
2009519865.tif 000017
【図６Ｂ】
2009519865.tif 000018
【図６Ｃ】
2009519865.tif 000019
【図７Ａ】
2009519865.tif 000020
【図７Ｂ】
2009519865.tif 000021
【図７Ｃ】
2009519865.tif 000022
【図７Ｄ】
2009519865.tif 000023
【図８Ａ】
2009519865.tif 000024
【図８Ｂ】
2009519865.tif 000025
【図８Ｃ】
2009519865.tif 000026
【図８Ｄ】
2009519865.tif 000027
【図９Ａ】
2009519865.tif 000028
【図９Ｂ】
2009519865.tif 000029
【図９Ｃ】
2009519865.tif 000030
【図９Ｄ】
2009519865.tif 000031
【図９Ｅ】
2009519865.tif 000032
【図９Ｆ】
2009519865.tif 000033
【図９Ｇ】
2009519865.tif 000034
【図１０Ａ】
2009519865.tif 000035
【図１０Ｂ】
2009519865.tif 000036
【図１１Ａ】
2009519865.tif 000037
【図１１Ｂ】
2009519865.tif 000038
【図１１Ｃ】
2009519865.tif 000039
【図１１Ｄ】
2009519865.tif 000040